(57)【要約】【課題】画面が急激に明るくなったときでも、眩しさを感じることを防ぐことができる画像表示装置およびバックライト制御回路を提供する。【解決手段】画像表示装置１は、バックライト１４と、映像信号に応じてバックライト１４からの照明光を変調して画像を表示する表示デバイス１６と、映像信号に基づく表示画像の明るさの高低に応じて、バックライト１４の光量を増減させるようにする光量算出部１２等を備える。光量算出部１２では、映像信号に基づく表示画像の明るさの増加に応じた照明光の増加の程度を抑制するための軽減関数に基づいて、バックライト１４からの照明光の増加の程度を抑制するように、バックライト１４の光量を決定する。【選択図】図１
2010044194.tif 000002
【特許請求の範囲】
【請求項１】
バックライトと、
映像信号に応じて前記バックライトからの照明光を変調して画像を表示する表示素子と、
前記映像信号に基づく表示画像の明るさの高低に応じて、前記バックライトの光量を増減させるように制御を行う制御手段と
を備え、
前記制御手段は、前記映像信号に基づく表示画像の明るさの増加に応じた前記照明光の増加の程度を抑制するための軽減関数に基づいて、前記バックライトからの照明光の増加の程度を抑制するように制御を行う機能を有する
画像表示装置。
【請求項２】
前記制御手段は、全表示領域を複数に分割して、それぞれの分割領域において前記表示画像の明るさの高低に応じてバックライトの光量を増減させる
請求項１に記載の画像表示装置。
【請求項３】
前記制御手段は、前記バックライトの光量増加の抑制制御を選択的に行う  
請求項１に記載の画像表示装置。
【請求項４】
前記制御手段は、前記バックライトの光量増加の選択的抑制制御を、映像信号の種別に基づいて行う  
請求項３に記載の画像表示装置。
【請求項５】
前記制御手段は、映像信号の種別ごとに用意された複数の異なる軽減関数の中からいずれかを選択して、映像信号の種別ごとに前記バックライトの光量増加の抑制制御を行う
請求項１に記載の画像表示装置。
【請求項６】
前記制御手段は、前記照明光の増加の程度を抑制する際の抑制パターンを複数設定し、これらの各抑制パターンに対応した軽減関数に基づいて、前記照明光の増加の程度を抑制するように制御を行う
請求項１に記載の画像表示装置。
【請求項７】
バックライトと、映像信号に応じて前記バックライトからの照明光を変調して画像を表示する表示素子とを含む画像表示装置における表示画像の明るさを求める検出手段と、
前記検出手段により検出された表示画像の明るさの高低に応じて、前記バックライトの光量を増減させるように制御を行う制御手段と
を備え、
前記制御手段は、前記映像信号に基づく表示画像の明るさの増加に応じた前記照明光の増加の程度を抑制するための軽減関数に基づいて、前記バックライトからの照明光の増加の程度を抑制するように制御を行う
を備えたバックライト制御回路。
【発明の詳細な説明】
【技術分野】
【０００１】
本発明は、バックライトを備えた画像表示装置およびバックライトの制御回路に関する。
【背景技術】
【０００２】
液晶表示装置は、液晶パネルの背面に配置されたバックライトからの照明光を用いて映像を画面に表示するものである。液晶表示装置では、バックライトの光量が画面全体の明るさを左右する。このため、画像の明るさに合わせてバックライトの光量を調整するものが近年多くなっている（例えば、特許文献１を参照）。
【０００３】
そのような技術の１つとして、ダイナミックバックライト制御と呼ばれるものがある。このダイナミックバックライト制御は、読み取った映像信号の平均輝度レベル（ＡＰＬ；Average Picture Level）を用いて画面に表示されるシーンが暗いか明るいかを判断し、例えば図１１に示したように、ＡＰＬが低くなる暗いシーンではバックライトの光量を抑え、ＡＰＬが高くなる明るいシーンではバックライトの光量を上げることによって、めりはりのある絵作りを可能とするものである。
【特許文献１】特開２００７−２９９００１号公報
【発明の開示】
【発明が解決しようとする課題】
【０００４】
ところが、上記のようなダイナミックバックライト制御を行う従来の液晶表示装置では、極端に明るいシーンが画面に表示された場合に眩惑という現象が生ずるおそれがあった。すなわち、直前のフレームに比べてＡＰＬが非常に高いフレームが表示された場合（例えば、全面黒を表示するフレームからＡＰＬの高いフレームに移る場合）には、これに連動してバックライトの光量も極端に大きくなる。このため、画面全体が必要以上に明るくなってしまい、ユーザの目に入る光量が急激に増加することになるため、ユーザに眩しさを感じさせてしまうのである。しかしながら、従来、この問題に対する対策はなされていなかった。
【０００５】
本発明はかかる問題点に鑑みてなされたもので、その目的は、画面が急激に明るくなったときでも、眩しさを感じることを防ぐことができる画像表示装置およびバックライト制御回路を提供することにある。
【課題を解決するための手段】
【０００６】
本発明の画像表示装置は、バックライトと、映像信号に応じてバックライトからの照明光を変調して画像を表示する表示素子と、映像信号に基づく表示画像の明るさの高低に応じて、バックライトの光量を増減させるように制御を行う制御手段とを備えている。この制御手段は、映像信号に基づく表示画像の明るさの増加に応じた照明光の増加の程度を抑制するための軽減関数を設定し、この軽減関数に基づいて、バックライトからの照明光の増加の程度を抑制するように制御を行う機能を有するものである。
【０００７】
本発明のバックライト制御回路は、バックライトと、映像信号に応じてバックライトからの照明光を変調して画像を表示する表示素子とを含む画像表示装置における表示画像の明るさを求める検出手段と、検出手段により検出された表示画像の明るさの高低に応じてバックライトの光量を増減させるように制御を行う制御手段とを備えている。この制御手段は、映像信号に基づく表示画像の明るさの増加に応じた照明光の増加の程度を抑制するための軽減関数を設定し、この軽減関数に基づいて、バックライトからの照明光の増加の程度を抑制するように制御を行うものである。
【０００８】
本発明の画像表示装置またはバックライト制御回路では、映像信号から得られた表示画像の明るさに応じて、バックライトの光量が制御される。その際、予め設定された軽減関数を利用して、表示画像の明るさの増加に応じた照明光の増加の程度を抑制するようにバックライトの光量調整が行われる。そして、調整されたバックライト照明光を利用して、画像表示が行われる。
【発明の効果】
【０００９】
本発明の画像表示装置およびバックライト制御回路によれば、軽減関数を利用して、表示画像の明るさの増加に応じたバックライト照明光の増加程度を抑制するように光量調整を行うようにしたので、眩惑現象を抑制することができる。すなわち、表示画像が急激に明るくなる場合でも、ユーザの目に入る光量が急激に増加することがなく、眩しさを感じることを防ぐことができる。
【発明を実施するための最良の形態】
【００１０】
以下、本発明の実施の形態について、図面を参照して詳細に説明する。
＜第１の実施の形態＞
図１は、本発明の第１の実施の形態に係るバックライト制御回路を備えた画像表示装置の概略構成を表すものである。図２は、この画像表示装置においてバックライトの光量制御に用いられる軽減関数の一例を表し、図３は、バックライトの光量制御の一例を表すものである。
【００１１】
図１に示すように、画像表示装置１は、画像処理部１０、平均輝度レベル検出部１１、光量算出部１２、バックライト制御部１３、バックライト１４、表示デバイス制御部１５および表示デバイス１６を備えている。
【００１２】
画像処理部１０は、入力された映像信号に対して各種の画像処理、例えばコントラスト強調処理や色バランス補正処理等を行うものである。
【００１３】
平均輝度レベル検出部１１は、画像処理された映像信号の１フレームごとの平均輝度レベル（ＡＰＬ）を検出し、ＡＰＬ情報Ｓ０として出力するようになっている。ここで、ＡＰＬが、本発明の「表示画像の明るさ」の一具体例に対応する。また、平均輝度レベル検出部１１が、本発明の「検出手段」の一具体例に対応する。
【００１４】
光量算出部１２は、バックライト制御部１３と共に、本発明における「制御手段」の一具体例を構成するものであり、平均輝度レベル検出部１１により検出された表示画像の明るさの高低に応じてバックライト１４の光量を増減させる制御を行うものである。具体的には、光量算出部１２は、映像信号に基づく表示画像の明るさの増加に応じた照明光の増加の程度を抑制するための軽減関数２０（図２）を、図示しないメモリ内に保持しており、この軽減関数に基づいて、バックライト１４からの照明光の増加の程度が抑制されるようなバックライト光量値を算出し、これをバックライト制御部１３に供給するようになっている。その詳細は後述する。
【００１５】
バックライト制御部１３は、光量算出部１２において決定された光量が得られるように、例えば図３のラインＬ１に沿ってバックライト１４の光量調整を行うものである。バックライト１４は、例えばＣＣＦＬ（冷陰極蛍光ランプ）を用いて構成可能であるが、このほか、白色光を出力する複数のＬＥＤ、あるいは、Ｒ，Ｇ，Ｂの各色光を出力するＬＥＤを複数配置して構成可能である。さらに、このような複数のＬＥＤと導光板とを組み合わせるようにして構成してもよい。
【００１６】
表示デバイス制御部１５は、画像処理部１０から入力された映像信号に基づいて、表示デバイス１６の図示しないデータドライバおよびゲートドライバに駆動信号を出力するものである。表示デバイス１６は、映像信号に基づくデータドライバおよびゲートドライバの駆動により、バックライト１４からの照明光を変調して画像を表示するようになっている。表示デバイス１６は、バックライトを必要とする表示素子であり、例えば液晶表示パネル等が用いられる。ここで、表示デバイス１６が、本発明の「表示素子」の一具体例に対応する。
【００１７】
次に、図２〜図４を参照して、以上のような構成の画像表示装置１の動作を説明する。なお、図４（Ａ）は時間（横軸）とＡＰＬ（縦軸）との関係を示し、図４（Ｂ）は時間（横軸）とバックライト１４の光量（縦軸）との関係を表す。
【００１８】
［全体動作］
まず、画像表示装置１の全体動作を説明する。
画像処理部１０は、入力された映像信号に対して各種の画像処理を行った後、平均輝度レベル検出部１１および表示デバイス１６に映像信号を出力する。平均輝度レベル検出部１１は、映像信号の１フレームごとのＡＰＬを検出した後、検出結果を光量算出部１２に出力する。
【００１９】
光量算出部１２は、軽減関数２０（図２）を利用して、ＡＰＬに応じたバックライト１４の光量を算出する。図２に示した例では、光量算出部１２は、０≦ＡＰＬ＜ｋ１、ｋ１≦ＡＰＬ＜ｋ２、ｋ２≦ＡＰＬ＜ｋ３、ｋ３≦ＡＰＬの各領域について軽減係数を求め、得られた軽減係数に基づいてバックライト１４の光量を求める。その詳細は後述する。
【００２０】
バックライト制御部１３は、光量算出部１２から軽減関数２０に基づいて決定されたバックライト光量を取得し、これに基づいてバックライト１４からの照明光の増加の程度を抑制するように制御を行う。軽減関数が図２に示したような関数形を有する場合には、バックライト光量は図３に実線Ｌ１に沿って変化し、高輝度領域においてバックライト１４の光量の増加の程度を抑えるように制御される。したがって、時間の経過と共にＡＰＬが例えば図４（Ａ）に示したように変化したとすると、バックライト１４の光量は、例えば図４（Ｂ）に示した実線Ｌ４のように変化する。
【００２１】
なお、図３における破線Ｌ０は、ＡＰＬに応じてバックライトの光量の増加の程度を抑制しない比較例（高輝度領域において値が小さくなる軽減関数（図２）を適用しない場合、言い換えると、軽減関数の関数形がＡＰＬの大小にかかわらず一定値をもつ場合）におけるバックライト光量の変化を示す。また、図４（Ｂ）における破線Ｌ３は、ＡＰＬに応じてバックライトの光量の増加の程度を抑制しない場合における、時間経過に伴うバックライト光量の変化の様子を示す。
【００２２】
図３および図４からわかるように、バックライト１４の光量は、時間経過に伴って変化するバックライト１４の光量の極大値が比較例に比べて低くなる。
【００２３】
表示デバイス制御部１５および表示デバイス１６は、画像処理部１０から入力された映像信号に基づいて、バックライト１４からの照明光を変調して画像を表示する。このとき、バックライト１４からの照明光の光量の極大値が比較例に比べて低くなっているので、たとえ表示画像が暗いシーンから明るいシーンに変化したとしても、ユーザが眩しさを感じることを防止することができる。
【００２４】
［バックライト光量の決定］
次に、図２および図３を参照して、バックライト１４の光量を決定する方法について詳細に説明する。
【００２５】
光量算出部１２においてバックライト１４の光量を算出する場合には、まず、ＡＰＬの増加に応じて、バックライト１４の光量の増加の程度を抑制するための軽減関数２０（図２）を参照する。
【００２６】
図２において、横軸は表示画像のＡＰＬを示し、縦軸はバックライト１４の光量の増加程度の抑制割合を決定する軽減係数を示す。軽減係数が小さいということは、光量の増加程度をより強く抑制することを意味し、軽減係数が「１」であることは、光量増加の抑制を行わないことを意味する。ここに示した例では、バックライト１４光量の増加の程度を滑らかに変化させるために、ＡＰＬの変化領域を４つの領域（０≦ＡＰＬ＜ｋ１、ｋ１≦ＡＰＬ＜ｋ２、ｋ２≦ＡＰＬ＜ｋ３、ｋ３≦ＡＰＬ）に分割して、領域ごとに軽減関数２０の関数形を異ならせると共に、領域間で関数値が連続するようにしている。ここで、ｋ１、ｋ２、ｋ３は、表示デバイス１６の特性や、後述する画質モードおよび眩しさ抑制パターン等に応じて適宜設定する。なお、ｋ１、ｋ２、ｋ３は、０≦ｋ１，ｋ２，ｋ３＜ＡＰＬの最大値、という関係を満たす。
【００２７】
軽減関数２０は、０≦ＡＰＬ＜ｋ１、ｋ１≦ＡＰＬ＜ｋ２、ｋ２≦ＡＰＬ＜ｋ３、ｋ３≦ＡＰＬのそれぞれの場合に応じて、（１）〜（４）式に示すような値（軽減係数Ｓ）を有する。
【００２８】
０≦ＡＰＬ＜ｋ１  ；  Ｓ＝１  …（１）
ｋ１≦ＡＰＬ＜ｋ２；  Ｓ＝１−（（１−ｓ２）／（ｋ２−ｋ１））×（ＡＰＬ−ｋ１）  …（２）
ｋ２≦ＡＰＬ＜ｋ３；  Ｓ＝ｓ２−（（ｓ２−ｓ１）／（ｋ３−ｋ２））×（ＡＰＬ−ｋ  …（３）
ｋ３≦ＡＰＬ      ；  Ｓ＝ｓ１  …（４）
【００２９】
ここで、ｓ１、ｓ２は、表示デバイス１６の特性や画質モード、眩しさ制御パターン等に応じて適宜設定する。なお、ｓ１、ｓ２は、０＜ｓ１，ｓ２≦１、という関係を満たす。
【００３０】
光量算出部１２は、映像信号のＡＰＬに応じて軽減関数２０から得られた軽減係数Ｓを用いて、次の（５）式によりバックライト１４の光量を求める。
バックライト１４の光量＝軽減係数Ｓ×規格化係数Ｎ×ＡＰＬ  …（５）
なお、規格化係数Ｎは、バックライト１４の輝度にＡＰＬを拡縮して合わせ込むためのものである。
【００３１】
こうして算出されたバックライト１４の光量の増加傾向は、図３に実線Ｌ１で示したようになる。ここで、ｋ１≦ＡＰＬ＜ｋ２およびｋ２≦ＡＰＬ＜ｋ３では、バックライト１４の光量がＡＰＬを変数とする２次関数となり、放物線の一部を描いている。
【００３２】
図３に示したように、比較例（破線Ｌ０）においては、図１１に示したものと同様に、ＡＰＬの増加に比例してバックライトの光量が増加する。一方、軽減係数を用いてバックライト１４の光量を調整するようにした本実施の形態においては、ＡＰＬがｋ１以上のときに、比較例の場合よりも光量の増加が抑制され、しかも、ＡＰＬが高くなるほどバックライト１４の光量の増加程度が強く抑制される。
【００３３】
以上のように、本実施の形態によれば、軽減関数２０を利用してバックライト１４の光量を算出し、ＡＰＬの増加に応じてバックライト１４の照明光の増加の程度を抑制するようにしたので、表示画面が急激に明るいシーンに変化した場合であっても、ユーザが眩しいと感じるのを防ぐことができる。また、バックライト１４が明るくなりすぎないので、必要以上の電力が消費されるのを回避することもできる。
【００３４】
＜第２の実施の形態＞
次に、発明の第２の実施の形態について説明する。
図５は第２の実施の形態における画像表示装置の概略構成を表すものである。本実施の形態は、第１の実施の形態（図１）における光量算出部１２に代えて、光量算出部２２を設けるようにしたものである。光量算出部２２は、常に１つの軽減関数を固定的に用いてバックライト光量を算出していた光量算出部１２とは異なり、外部から与えられた制御情報に応じて最適な軽減関数を選択し、その選択した軽減関数を用いてバックライト光量を算出するものである。以下、詳細に説明する。
【００３５】
光量算出部２２は、平均輝度レベル検出部１１からＡＰＬ情報Ｓ０を受け取ると共に、外部から、画質モード情報Ｓ１と眩しさ抑制パターン情報Ｓ２とを受け取るようになっている。画質モード情報Ｓ１は、表示デバイス１６に表示される映像の画質を表す情報である。画質モードには、例えば、「ダイナミック」モード、「スタンダード」モード、「シネマ」モードおよび「カスタム」モードがある。「ダイナミック」モードは、主に店頭で使用する、高輝度かつ高コントラストに調整されている画質モードであり、「スタンダード」モードは、家庭での一般的な放送視聴を想定して、色合いや輝度をやや抑えた画質モードである。「シネマ」モードは、映画鑑賞に適した画質モードであり、「カスタム」モードは、ユーザが画質を調整することができるように、様々な画質パラメータを公開している画質モードである。眩しさ抑制パターン情報Ｓ２は、バックライト１４の光量の増加の程度を抑制するときの抑制パターンを示す情報である。眩しさ抑制パターンとしては、例えば、後述するように（図６〜図８）、画質モードごとにバックライト１４の光量抑制を強目に行う「強抑制パターン」、光量抑制を中程度に行う「中抑制パターン」、光量抑制を弱目に行う「弱抑制パターン」および光量抑制を行わない「オフ」等がある。
【００３６】
光量算出部２２は、互いに異なる関数形を有する複数の軽減関数を保持しており、ＡＰＬ情報Ｓ０、画質モード情報Ｓ１および眩しさ抑制パターン情報Ｓ２に基づき、複数の軽減関数の中から最適な軽減関数を選択し、その選択した軽減関数から得た軽減係数を用いてバックライト１４の光量を決定するようになっている。その具体的方法は後述する。なお、画質モード情報Ｓ１および眩しさ抑制パターン情報Ｓ２は、例えば、画像表示装置１のユーザによって設定されてもよいし、あるいはテレビジョン受信機において番組情報（例えばＥＰＧ（Electric Program Guide））を受信して、その番組情報に基づいて自動的に設定されてもよい。
【００３７】
その他の構成は図１の場合と同様であり、説明を省略する。
【００３８】
本実施の形態において、光量算出部２２は、与えられた画質モード情報Ｓ１および眩しさ抑制パターン情報Ｓ２に基づいて画質モードおよび眩しさ抑制パターンを判別し、判別された画質モードおよび眩しさ抑制パターンに応じて、保持している複数の軽減関数の中から軽減関数を選択する。そして、光量算出部２２は、選択した軽減関数から得た軽減係数を用いてバックライト１４の光量を算出し、算出結果をバックライト制御部１３に出力する。これにより、バックライト１４は、画質モードおよび眩しさ抑制パターンから定まる最適な態様で光量増加が抑制される。
【００３９】
軽減関数の具体例は、例えば以下のようなものである。
【００４０】
図６（Ａ）〜（Ｄ）は、画質モードがダイナミックモードのときの軽減関数を表すものである。図６（Ａ）は、眩しさ抑制制御がオフのとき、図６（Ｂ）は、眩しさ抑制を弱く行うとき（弱抑制パターン）、図６（Ｃ）は眩しさ抑制が中のとき（中抑制パターン）、図６（Ｄ）は眩しさ抑制を強く行うとき（強抑制パターン）の軽減関数を示す。
【００４１】
画質モードがダイナミックの場合には、店頭において用いられるものであるから、明るい店内でも鮮やかな画作りをするためにバックライト１４の輝度がもとから高くなっているので、眩しさ抑制制御がオフになっていても（図８（Ａ））、高輝度レベル領域においてバックライト１４の光量増加の程度を抑えるようにしている。また、眩しさ抑制パターンごとにＡＰＬを分割する領域の範囲および軽減係数の値が異なっており、図７（Ｂ）〜（Ｄ）に示したように、眩しさ抑制パターンのランク（抑制強度）が高くなるほどバックライト１４からの照明光の増加の割合をより強く抑えるようになっている。
【００４２】
図７（Ａ）〜（Ｄ）は、画質モードがスタンダードモードのときの軽減関数を表すものである。図７（Ａ）は、眩しさ抑制制御がオフのとき、図７（Ｂ）は、眩しさ抑制を弱く行うとき、図７（Ｃ）は眩しさ抑制が中のとき、図７（Ｄ）は眩しさ抑制を強く行うときの軽減関数を示す。
【００４３】
画質モードがスタンダードの場合においても、ダイナミックモードの場合と同様に、バックライト１４の輝度が一般的なリビングでの視聴を前提にもとから高くなっているので、眩しさ抑制がオフになっていても、高輝度レベル領域においてバックライト１４の光量を抑えるようにしている。但し、スタンダードモードでは、同じランクの眩しさ抑制パターン同士を比べた場合、眩しさ抑制を行わない低輝度領域（軽減係数が一定値「１」である領域）がダイナミックモードの場合よりも広く（より高い輝度領域にまでわたるように）なっている。また、スタンダードモードの場合も、眩しさ抑制パターンごとにＡＰＬを分割する領域の範囲および軽減係数が異なっており、図８（Ｂ）〜（Ｄ）に示したように、眩しさ抑制パターンのランクが高くなるほどバックライト１４からの照明光の増加の割合を抑えるようになっている。但し、スタンダードモードでは、同じランクの眩しさ抑制パターン同士を比べた場合、眩しさ抑制の強さがダイナミックモードの場合よりも弱目に（軽減係数が大きめに）なっている。
【００４４】
図８（Ａ）〜（Ｄ）は、画質モードがシネマモードまたはカスタムモードのときの軽減関数を表すものである。図８（Ａ）は、眩しさ抑制制御がオフのとき、図８（Ｂ）は、眩しさ抑制を弱く行うとき、図８（Ｃ）は眩しさ抑制が中のとき、図８（Ｄ）は眩しさ抑制を強く行うときの軽減関数を示す。
【００４５】
画質モードがシネマまたはカスタムモードの場合には、映画鑑賞に適した絵作りをするためにまたはデフォルトの設定のために、ダイナミックやスタンダードの場合に比べてバックライト１４の輝度が低くなっているので、眩しさ抑制制御がオフになっていると、ＡＰＬの値にかかわらず、光量増加の抑制制御をまったく行わない（軽減係数が一定値「１」）。このため、ＡＰＬとバックライトの光量との関係は図１１に示したようになる。一方、眩しさ抑制制御がオフ以外の場合には（図８（Ｂ）〜（Ｄ））、他の画質モードの場合と同様に、眩しさ抑制パターンごとにＡＰＬを分割する領域の範囲および軽減係数が異なっており、眩しさ抑制パターンを強めるに従ってバックライト１４からの照明光の増加の割合がより強く抑制される。但し、シネマまたはカスタムモードでは、同じランクの眩しさ抑制パターン同士を比べた場合、眩しさ抑制を行わない低輝度領域（軽減係数が一定値「１」である領域）がスタンダードモードの場合よりも広く（より高い輝度領域にまでわたるように）なっている。また、シネマまたはカスタムモードでは、同じランクの眩しさ抑制パターン同士を比べた場合、眩しさ抑制の強さがスタンダードモードの場合よりもさらに弱目に（軽減係数が大きめに）なっている。このように、画質モードがシネマまたはカスタムモードの場合には、眩しさ抑制パターンが「オフ」であるか否かによって、バックライトの光量増加の抑制が選択的に行われる（光量増加の抑制が行われる場合と行われない場合とがある）ことになる。
【００４６】
以上、いくつかの実施の形態を挙げて本発明を説明したが、本発明は上記の実施の形態に限定されるものではなく、種々変形が可能である。
【００４７】
例えば、上記実施の形態では、ＡＰＬを４つの領域に分割する場合について説明したが、４つ以外の領域に分割して、その領域ごとに軽減関数を設定するようにしてもよく、またＡＰＬを分割することなく、全体に１つの軽減関数（例えば単調減少関数）を設定するようにしてもよい。
【００４８】
また、上記実施の形態では、映像信号の１フレームごとにＡＰＬを検出する場合について説明したが、１フレームの表示領域を複数に分割して、分割表示領域ごとにＡＰＬを検出すると共に、分割表示領域ごとに軽減関数を適用するようにしてもよい。
【００４９】
また、上記実施の形態では、ＡＰＬを分割した領域ごとに、関数形が直線であるような軽減関数を適用する場合について説明したが、領域ごとに関数形が曲線であるような軽減関数を適用するようにしてもよい。さらに図９に示したように、ＡＰＬを分割することなく、全体が１つの曲線をなすような関数形をもつ軽減関数（例えば２次曲線）を適用するようにしてもよい。
【００５０】
また、上記の実施の形態では、ＡＰＬを分割した領域間で関数値が連続するような軽減関数を設定する場合について説明したが、図１０に示したように、関数値が不連続である軽減関数（例えば、ステップ関数）を適用するようにしてもよい。
【００５１】
また、上記第２の実施の形態では、外部から与えられた画質モード情報Ｓ１および眩しさ抑制パターン情報Ｓ２に基づいて、予め保持している複数の軽減関数の中からいずれかを選択する場合について説明したが、必要な軽減関数を外部から映像信号と共に供給し、これを用いてバックライト１４の光量増加を抑制するようにしてもよい。
【００５２】
また、上記第２の実施の形態では、映像信号の種別に応じて軽減関数を選択する場合について説明したが、種別とは関係なしに軽減関数を選択するようにしてもよい。
【図面の簡単な説明】
【００５３】
【図１】本発明の第１の実施の形態に係る画像表示装置の概略構成を表すブロック図である。
【図２】軽減関数の一例を表すグラフである。
【図３】ＡＰＬとバックライト光量との関係を表すグラフである。
【図４】ＡＰＬの時間変化およびバックライト光量の時間変化の一例を表すグラフである。
【図５】本発明の第２の実施の形態に係る画像表示装置の概略構成を表すブロック図である。
【図６】画質モードがダイナミックのときの軽減関数の４つの例を表すグラフである。
【図７】画質モードがスタンダードのときの軽減関数の４つの例を表すグラフである。
【図８】画質モードがシネマおよびカスタムのときの軽減関数の４つの例を表すグラフである。
【図９】関数形が曲線である軽減関数を表すグラフである。
【図１０】関数形が階段状である軽減関数を表すグラフである。
【図１１】従来の画像表示装置におけるＡＰＬとバックライトの光量との関係を表すグラフである。
【符号の説明】
【００５４】
１…画像表示装置、１０…画像処理部、１１…平均輝度レベル検出部、１２，２２…光量算出部、１３…バックライト制御部、１４…バックライト、１５…表示デバイス制御部、１６…表示デバイス、２０…軽減関数、Ｓ０…ＡＰＬ、Ｓ１…画質モード情報、Ｓ２…眩しさ抑制パターン情報。
【図１】
2010044194.tif 000003
【図２】
2010044194.tif 000004
【図３】
2010044194.tif 000005
【図４】
2010044194.tif 000006
【図５】
2010044194.tif 000007
【図６】
2010044194.tif 000008
【図７】
2010044194.tif 000009
【図８】
2010044194.tif 000010
【図９】
2010044194.tif 000011
【図１０】
2010044194.tif 000012
【図１１】
2010044194.tif 000013